(57)【要約】【課題】イヤホンにおいて、低音領域を広げながら小型化を図ることである。【解決手段】イヤホンのイヤホン本体１４は、振動板の前方及び背面に音波を放射するドライバ２０と、ドライバ２０の背面側にキャビティ３１空間を規定し、且つ前方に放射された音波２２をユーザーの外耳道側に導くための第１音孔４０と背面に放射された音波２４を外耳道側に導くための第２音孔４２とを有するケース３０とを備え、ケース３０は、第２音孔４２に連通するダクト３６と、ダクト３６の内部に配置される第１の音響抵抗部材５０と、ダクト３６のケース内部側開口部を覆う第２の音響抵抗部材５２とを有する。【選択図】図２
2015039127.tif 000002
【特許請求の範囲】
【請求項１】
振動板の前方及び背面に音波を放射するドライバと、
前記ドライバの前記背面側にキャビティ空間を規定し、且つ前記前方に放射された音波をユーザーの外耳道側に導くための第１音孔と前記背面に放射された音波を外耳道側に導くための第２音孔とを有するケースと、を備え、前記ケースは、前記第２音孔に連通するダクトと、前記ダクトの内部に配置される第１の音響抵抗部材と、前記ダクトのケース内部側開口部を覆う第２の音響抵抗部材と、を有する、イヤホン。
【請求項２】
請求項１に記載のイヤホンにおいて、
前記第１の音響抵抗部材の単位空気体積当たりの充填質量は、前記第２の音響抵抗部材の前記単位空気体積当たりの充填質量よりも大きい、イヤホン。
【請求項３】
請求項１に記載のイヤホンにおいて、
前記第１の音響抵抗部材と前記第２の音響抵抗部材は、前記ケース内部側開口部で互いに隙間なく接触する、イヤホン。
【請求項４】
請求項１に記載のイヤホンにおいて、
前記ダクトは、前記ケースから突出する外耳道挿入形状を有する、イヤホン。
【請求項５】
請求項４に記載のイヤホンにおいて、
前記ダクトは、前記外耳道の一部を塞ぐ大きさであり、前記ダクトで塞がれない前記外耳道の部分に前記第１音孔からの音波が導かれる、イヤホン。
【請求項６】
請求項５に記載のイヤホンにおいて、
前記ダクトは、前記ケースから突出する前記外耳道挿入形状に、前記ダクトで塞がれない前記外耳道の部分を規定する溝部を有する、イヤホン。
【発明の詳細な説明】
【技術分野】
【０００１】
本発明は、ユーザーの耳に装着されるイヤホンに関する。
【背景技術】
【０００２】
オーディオ信号を音声・音波に変換して再生するイヤホンは、ユーザーの耳に装着されることによって用いられる。イヤホンは小型なものであるので、音声再生周波数帯域を十分に広げることがなかなか難しい。
【０００３】
特許文献１には、ヘッドホンとして、リスナーの外耳に併置されるヘッドホン支持体に、低周波再生のための第１のトランスデューサと高周波再生のための第２のトランスデューサを含む構成が開示されている。ここでは、第２のトランスデューサは、耳道入口に設けられる多孔質イヤピースを通して音の伝達を行い、第１のトランスデューサは、多孔質イヤピースの中を通る管を通して音の伝達を行っている。
【０００４】
特許文献２には、イヤースピーカ装置の左右の電気音響変換部がそれぞれ筐体部とスピーカユニットと管状ダクトを有し、管状ダクトは、筐体内部空間からユーザーの外耳同入口付近まで延長されると共に筐体部に戻るＵ字形状に形成される構成が開示されている。ここでは、管状ダクトの内部に抵抗部材を設け、その手前に孔部を設けることで、スピーカユニットから放射される音のうち低音をユーザーの外耳道入口近傍まで到達させることができると述べられている。
【０００５】
特許文献３には、イヤーマフとして、イヤーカップの開口部にバッフルが固定され、バッフルの全面側に通気性クッション材を介してイヤーパッドが係止される構成が開示され、通気性クッション材は内部に空気層を有しているので、この空気層の容積も、バッフルの前面側の前気室の容積とすることができると述べられている。さらに、第３実施例では、イヤーカップの内部空間である後気室とバッフルの前面側の前気室を音響的に連通する連通孔が設けられ、この連通孔の後気室側に音響抵抗部材を貼り付ける構成が述べられている。
【先行技術文献】
【特許文献】
【０００６】
【特許文献１】特許第４１８４２８３号
【特許文献２】特開２００９−２６０５５６号公報
【特許文献３】特開２０１１−１５３３８号公報
【発明の概要】
【発明が解決しようとする課題】
【０００７】
イヤホンにおいて、音波の波長が長くて低い周波数に音声再生帯域を広げるには、例えば、音響管（ダクト）を長くすることが行われるが、大型化するという問題がある。
【０００８】
本発明の目的は、低い周波数に音声再生帯域を広げながら小型化を図れるイヤホンを提供することである。
【課題を解決するための手段】
【０００９】
本発明に係るイヤホンは、振動板の前方及び背面に音波を放射するドライバと、ドライバの背面側にキャビティ空間を規定し、且つ前方に放射された音波をユーザーの外耳道側に導くための第１音孔と背面に放射された音波を外耳道側に導くための第２音孔とを有するケースと、を備え、ケースは、第２音孔に連通するダクトと、ダクトの内部に配置される第１の音響抵抗部材と、ダクトのケース内部側開口部を覆う第２の音響抵抗部材と、を有する。
【００１０】
本発明に係るイヤホンにおいて、第１の音響抵抗部材の単位空気体積当たりの充填質量は、第２の音響抵抗部材の単位空気体積当たりの充填質量よりも大きい。
【００１１】
本発明に係るイヤホンにおいて、第１の音響抵抗部材と第２の音響抵抗部材は、ケース内部側開口部で互いに隙間なく接触する。
【００１２】
本発明に係るイヤホンにおいて、ダクトは、ケースから突出する外耳道挿入形状を有する。
【００１３】
本発明に係るイヤホンにおいて、ダクトは、外耳道の一部を塞ぐ大きさであり、ダクトで塞がれない外耳道の部分に第１音孔からの音波が導かれる。
【００１４】
本発明に係るイヤホンにおいて、ダクトは、ケースから突出する外耳道挿入形状に、ダクトで塞がれない外耳道の部分を規定する溝部を有する。
【発明の効果】
【００１５】
本発明に係るイヤホンは、ドライバの背面に放射された音波を、ダクトの内部に配置される第１の音響抵抗部材とダクトのケース内部側開口部を覆う第２の音響抵抗部材を介して外耳道に導くと、第１の音響抵抗部材のみを用いる場合よりも音声再生帯域が低音側で広がり、あるいは、第２の音響抵抗部材のみを用いる場合よりも音声再生帯域が低音側で広がることを見出したことに基づくものである。つまり、音響抵抗部材を配置する長さが同じでも、第１の音響抵抗部材と第２の音響抵抗部材とを組み合わせることで、音声再生帯域がより低音側で広がる。したがって、上記構成により、低い周波数に音声再生帯域を広げながら小型化を図ることができる。
【００１６】
また、本発明に係るイヤホンにおいて、外耳道側のダクトに配置される第１の音響抵抗部材の単位空気体積当たりの充填質量を、キャビティ側に配置される第２の音響抵抗部材の単位空気体積当たりの充填質量よりも大きくすることで、音声再生帯域がより低音側で広がる。したがって、そのような構成とすることで、音声再生帯域を広げながら小型化を図ることができる。
【００１７】
また、本発明に係るイヤホンにおいて、第１の音響抵抗部材と第２の音響抵抗部材は、ケース内部側開口部で互いに隙間なく接触することで、音声再生帯域がより低音側で広がるとともに、中高音の再生レベルも高くできる。したがって、そのような構成を取ることで、音声再生帯域を広げながら小型化を図ることができる。
【００１８】
また、本発明に係るイヤホンにおいて、ダクトは、ケースから突出する外耳道挿入形状を有する。したがって、ユーザーの耳にしっかりとイヤホンが併置できる。
【００１９】
また、本発明に係るイヤホンにおいて、ダクトは、外耳道の一部を塞ぐ大きさであり、ダクトで塞がれない外耳道の部分に第１音孔からの音波が導かれるので、音声再生帯域を低音から高音まで広げながら、小型化を図ることができる。
【００２０】
また、本発明に係るイヤホンにおいて、ダクトは、ケースから突出する外耳道挿入形状に、ダクトで塞がれない外耳道の部分を規定する溝部を有する。この溝部が外耳道にダクトで塞がれない部分を規定し、ここに第１音孔からの音波が導かれて、音声再生帯域を低音から高音まで広げながら、小型化を図ることができる。
【図面の簡単な説明】
【００２１】
【図１】本発明に係る実施の形態のイヤホンをユーザーの耳に装着される様子を示す図である。
【図２】本発明に係る実施の形態のイヤホン本体の断面図である。
【図３】本発明に係る実施の形態のイヤホン本体からハウジングを外した状態を示す図である。（ａ）は上面図、（ｂ）は断面図、（ｃ）は底面図である。
【図４】イヤホンの音圧周波数特性について、本発明に係る実施の形態の特性と、比較例１，２，３の特性とを示す図である。
【図５】イヤホンの音圧周波数特性について、本発明に係る実施の形態の特性と、比較例１，４，５の特性とを示す図である。
【図６】イヤホンのドライバの前方方向と背面方向とにそれぞれ放射する音波の位相差の周波数特性について、本発明に係る実施の形態の特性と、比較例１，２，３の特性とを示す図である。
【発明を実施するための形態】
【００２２】
以下に図面を用いて本発明に係る実施の形態につき、詳細に説明する。以下で述べる寸法、形状、材質等は説明のための例示であって、イヤホンの仕様に応じ適宜変更が可能である。以下では、全ての図面において同様の要素には同一の符号を付し、重複する説明を省略する。
【００２３】
図１は、イヤホン１０について、ユーザーの耳に装着される様子を示す図である。ここでは、イヤホン１０の構成要素ではないが、（Ｒ）として示したユーザーの右耳４と、（Ｌ）として示した左耳６と、それぞれの外耳道８を図示した。イヤホン１０は、右耳４用の右イヤホン本体１２と、左耳６用の左イヤホン本体１４と、それぞれに接続されるケーブル１６と、図示されていないオーディオ機器等に接続されるジャック部１８とを含んで構成される。図１では、右イヤホン本体１２を右耳４に装着した状態が示され、左イヤホン本体１４は左耳６に装着される前の状態を示している。
【００２４】
右イヤホン本体１２と左イヤホン本体１４は、互いに左右対称形であることを除けば、構成要素等は同一であるので、以下では、左イヤホン本体１４について説明する。なお、以下では、左イヤホン本体１４を単にイヤホン本体１４と呼ぶ。イヤホン本体１４は、バッフル３２とハウジング３４とバッフル３２から突き出すダクト３６が一体となってケース３０を形成する。イヤホン本体１４は、クッション３８を左耳６に押し当てながら、左耳６の外耳道８を囲む耳珠７と対珠９と呼ばれる張出部を利用してバッフル３２とハウジング３４を保持し、外耳道８にダクト３６を挿入して、左耳６への装着が行われる。
【００２５】
イヤホン本体１４の構造について、図２、図３を用いてさらに詳細に説明する。図２は、イヤホン本体１４の断面図である。図３は、イヤホン本体１４からハウジング３４を取り外したときを示す図で、（ａ）は上面図、（ｂ）は断面図、（ｃ）は底面図である。
【００２６】
ケース３０は、平面形状が楕円形状に近いバッフル３２を底面側の部材とし、外形の断面形状が略三角形で内部が中空のハウジング３４をバッフル３２の上面側に配置する部材とし、バッフル３２の上面側の外縁部と、ハウジング３４の底面側の外縁部とを組み合わせて一体化した外形を有する。バッフル３２には、ダクト３６が突出して設けられる。バッフル３２の上面とドライバ２０とハウジング３４の内壁面とによって内部空間であるキャビティ３１が形成される。
【００２７】
ケース３０の内部空間であるキャビティ３１に配置されるドライバ２０は、電気信号によって振動する振動板を有する発音体である。振動板は、バッフル３２の面に略平行に配置される。したがって、振動板が振動することで、振動板の前方の空気が振動して前方に音波を放射し、背面の空気も振動して背面に音波を放射する。ハウジング３４には、ドライバ２０からのケーブル１６を外部に引き出すための引出穴が設けられる。
【００２８】
ケース３０を構成するバッフル３２は、一方側の面にドライバ２０が配置され、外縁部にハウジング３４の外縁部が組み合わされる楕円形の板状部材である。楕円形の大きさは、左耳６の耳珠と対珠の間の間隔等に基づいて設定される。ドライバ２０が取り付けられる側と反対側の他方側の面は、イヤホン１０がユーザーの左耳６に装着されるときに、外耳道８に向かい合う前方側の面である。前方側の面は、外耳道８の側に緩やかな凸面形状を有する。
【００２９】
バッフル３２に設けられる第１の音孔４０は、ドライバ２０の振動板から前方に放射される音波２２を外耳道８側に導く貫通孔で、孔の一方側開口部は振動板に面し、他方側開口部は、外耳道８の側に面する。図３（ｃ）の例では、第１の音孔４０は３つ設けられるが、これ以外の数でもよい。
【００３０】
バッフル３２に設けられる第２の音孔４２は、ドライバ２０の振動板から背面に放射される音波２４を外耳道８側に導く貫通孔である。この貫通孔は、ダクト３６の貫通孔に連通する。第２の音孔４２は、図３（ａ）に破線で示すように、部分円環状の孔である。
【００３１】
ダクト３６は、バッフル３２から外耳道８側に向かって突き出し、第２の音孔４２に連通する貫通孔を有する管部である。ダクト３６は、ドライバ２０の背面に放射される音波２４がキャビティ３１に連通する第２の音孔４２によって導かれたものを、さらに外耳道８へ導く音響管である。ダクト３６は、外耳道８の穴の内径よりやや小さめの外径を有する部分円環状の形状を有する。つまり、ダクト３６は、部分円環状の形状の中心側に断面が半円弧状の溝部３７を有する。ダクト３６の貫通孔は、第２の音孔４２と同じ大きさの部分円環状を有する。ダクト３６は、イヤホン１０を左耳６に装着したときに、ちょうど外耳道８に挿入されるように、バッフル３２の前方の面から斜め角度を有して設けられる。ダクト３６の突出し量は、装着感を考慮して設定されるが、例えば約３〜８ｍｍ程度である。
【００３２】
ダクト３６の外形を円管形状とせずに、部分円環状の形状の中心側に断面が半円弧状の溝部３７を形成することで、ダクト３６を外耳道８に挿入したときに、外耳道８の全部を塞がす、その一部を塞ぐ大きさとすることができる。外耳道８において、ダクト３６で塞がれない部分には、第１音孔４０からの音波が導かれる。バッフル３２の前方面には、外耳道８の大きさに相当する円形部分が周囲と少し高さを変えた輪郭部４４として設けられるが、この輪郭部４４の中に、ダクト３６の根元部と、第１の音孔４０とが配置される。
【００３３】
クッション３８は、この輪郭線４４から適当な離間距離を置いて、その外側に沿って配置される。なお、バッフル３２の前方面において、クッション３８を挟んで輪郭部４４とは反対側に設けられる開放孔３５は、ドライバ２０から放射された音波で、第１の音孔４０、第２の音孔４２に導かれない音波を外部に適当に拡散放射させるためのものである。図３（ｃ）の例では３個の開放孔３５が設けられるが、その数はこれ以外でもよい。
【００３４】
ケース３０を構成するバッフル３２、ハウジング３４、バッフル３２に設けられるダクト３６は、適当な強度を有する樹脂材料を所定の形状に成形したものを用いることができる。樹脂材料としては、アクリロニトリルブタジエンスチレン樹脂（ＡＢＳ）、ポリスチレン樹脂（ＰＳ）、ポリカーボネート樹脂（ＰＣ）を用いることができる。ダクト３６は、バッフル３２と別体で成形し、接着等で一体化してもよい。
【００３５】
上記構成によって、ドライバ２０の背面からの音波は、キャビティ３１の内部から、バッフル３２に設けられる第２の音孔４２と、これに連通するダクト３６の貫通孔によって、外耳道８側に導かれる。この背面からの音波の導かれる経路に、第１の音響抵抗部材５０と、第２の音響抵抗部材５２が設けられる。
【００３６】
第１の音響抵抗部材５０は、ダクト３６の内部の貫通孔に充填して配置される。第２の音響抵抗部材５２は、図３（ａ）に示されるように、バッフル３２の外縁部の外壁面と、ドライバ２０の外周面との間の隙間空間３３に配置され、第２の音孔４２を覆う。第２の音孔４２は、ダクト３６のケース内部側開口部でもあるので、第２の音響抵抗部材５２は、ダクト３６のケース内部側開口部を覆うように配置される。
【００３７】
音響抵抗部材は、音波に対する抵抗である音響抵抗を空気に比べて大きくさせる部材であり、音波が導かれる経路の空気体積に対し、その空気体積のところに配置される部材の充填密度が大きいほど音響抵抗が大きくなる。充填密度は、単位空気体積当たりの質量である。充填の際に、音響抵抗は圧縮されるので、圧縮される前の自由状態の密度とは異なる。ここで、第１の音響抵抗部材５０の単位空気体積当たりの充填質量は、第２の音響抵抗部材５２の単位空気体積当たりの充填質量よりも大きく設定される。かかる第１の音響抵抗部材５０、第２の音響抵抗部材５２としては、自由状態の密度の互いに異なるウレタン樹脂、不織布等が用いられる。
【００３８】
一例を述べると、第１の音響抵抗部材５０としては、自然状態の密度として、３００〜４００ｋｇ／ｍ3の不織布、ウレタンフォームが用いられる。第２の音響抵抗部材５２としては、自然状態の密度として、５０〜６０ｋｇ／ｍ3の発泡フォームが用いられる。第１の音響抵抗部材５０は、ダクト３６の貫通孔に押し込んで充填され、その際の単位空気体積当たりの充填質量は、自然状態の密度の約１．１〜１．５倍となる。例えば、３３０ｋｇ／ｍ3から６００ｋｇ／ｍ3となる。第２の音響抵抗部材５０は、バッフル３６とドライバ２０との間の隙間空間３３に押し込んで充填され、その際の単位空気体積当たりの充填質量は、自然状態の密度の約１．５〜２．５倍となる。例えば、７５ｋｇ／ｍ3から１５０ｋｇ／ｍ3となる。なお、上記の材質、数値は説明のための例示であって、これ以外の材質、数値であってもよい。
【００３９】
第１の音響抵抗部材５０と第２の音響抵抗部材５２は、第２の音孔４２の上面側、すなわち、ダクト３６のケース内部側開口部において、互いに隙間なく接触するように互いにしっかり押し込んで配置される。「互いに隙間なく接触するように」とは、少なくともダクト３６のケース内部側開口部において、第１の音響抵抗部材５０と第２の音響抵抗部材５２の境界に空気のみの層が形成されないように、との意味である。このようにするのは、第１の音響抵抗部材５０と第２の音響抵抗部材５２の境界に空気のみの層が形成されると、後述するように、ドライバ２０の背面から放射されて、第２の音孔４２およびダクト３６の貫通孔を介して外耳道に導かれる音波が、音圧周波数特性の改善に寄与しなくなるからである。
【００４０】
したがって、第１の音響抵抗部材５０は、図３（ｃ）に示されるように、ダクト３６におけるケース内部側開口部である第２の音孔４２の上面よりは突き出すように充填する。また、第２の音響抵抗部材５２は、図３（ａ）に示されるように、ダクト３６におけるケース内部側開口部である第２の音孔４２を十分に覆う広さで、バッフル３６とドライバ２０との間の隙間空間３３の広い範囲に渡って充填する。その際に、第２の音孔４２の上面よりは突き出している第１の音響抵抗部材５０に接触する寸法として設計することができる。
【００４１】
上記構成のイヤホン１０の作用効果について、図４から図６を用いて説明する。図４と図５は、イヤホン１０の音圧周波数特性を、他の構造の例と比較した図で、横軸が周波数、縦軸が音圧レベル（ＳＰＬ）である。図６は、イヤホン１０の位相差周波数特性を、他の構造の例と比較した図で、横軸が周波数、縦軸が位相差である。ここでの位相差とは、ドライバ前方方向からの放射音波を基準とした背面方向からの放射音波の位相差を指す。
【００４２】
図４、図５における周波数特性６０は、図１〜図３の構造を有する本実施例のイヤホン１０の周波数特性である。すなわち、ダクト３６を有し、第１の音響抵抗部材５０と第２の音響抵抗部材５２が図３に説明した通りに配置されているときの周波数特性である。図４、図５における周波数特性６２は、ダクト３６がなく、したがって第１の音響抵抗部材５０も第２の音響抵抗部材５２も設けられていない構造を有する比較例１のイヤホンの周波数特性である。図４、図５からわかるように、比較例１の周波数特性６２に比較して、図１〜図３の構造のイヤホン１０の周波数特性６０は、低い周波数帯域で、音圧レベルが改善されている。
【００４３】
図４において、周波数特性６４は、ダクト３６を有し、第１の音響抵抗部材５０がダクト３６に充填されているが、第２の音響抵抗部材５２が配置されていない比較例２の周波数特性である。比較例２の周波数特性６４は、周波数特性６２に比較して低い周波数帯域で音圧レベルが改善されているが、図１〜図３の構造のイヤホン１０の周波数特性６０には及ばない。
【００４４】
図４において、周波数特性６６は、ダクト３６を有し、ダクト３６に第１の音響抵抗部材５０が充填されず貫通孔のままであるが、第２の音響抵抗部材５２は第２の音孔４２を十分に覆っている比較例３の周波数特性である。比較例３の周波数特性６６は、周波数特性６２とほとんど変わらず、低い周波数帯域における音圧レベルが改善されていない。
【００４５】
図５において、周波数特性６８は、ダクト３６を有し、第１の音響抵抗部材５０がダクト３６に充填されており、第２の音響抵抗部材５２の第２の音孔４２を十分に覆っているが、第１の音響抵抗部材５０と第２の音響抵抗部材５２との間に隙間があって空気層が介在している比較例４の周波数特性である。比較例４の周波数特性６８は、図４の周波数特性６４に比べ、低い周波数帯域における音圧レベルが低い。すなわち、ダクト３６に第１の音響抵抗部材５０を充填すると低い周波数帯域における音圧レベルがある程度改善されるが、これにさらに第２の音響抵抗部材５２を覆う場合、隙間があると、第２の音響抵抗部材５２で覆うことで、低い周波数帯域における音圧レベルが劣化する。すなわち、第１の音響抵抗部材５０に第２の音響抵抗部材５２を覆うときには、その間に隙間を作らないようにすることが重要で、空気層の隙間が介在すると逆効果であることを示すデータである。
【００４６】
図５において、周波数特性７０は、ダクト３６のみが設けられ、第１の音響抵抗部材５０も第２の音響抵抗部材５２も配置されない比較例５の周波数特性である。すなわち、周波数特性７０は、中空の音響管の特性を示す図である。比較例５の周波数特性７０は、高い周波数帯域で音圧レベルの改善がみられるが、低い周波数帯域における音圧レベルは改善されていない。
【００４７】
図６において、周波数特性６１は、図１〜図３の構造を有する本実施例のイヤホン１０の位相差の周波数特性を示すもので、図４、図５の音圧周波数特性６０に対応する位相差周波数特性である。一方、周波数特性６３は、ダクト３６がなく、したがって第１の音響抵抗部材５０も第２の音響抵抗部材５２も設けられていない構造を有する比較例１のイヤホンの周波数特性であり、図４、図５の音圧周波数特性６２に対応する位相差周波数特性である。比較例１の周波数特性６３は、共振周波数（約４００Ｈｚ）近辺で位相差が約１８０度になり、逆相の関係になる。これに対し、図１〜図３の構造を有する本実施例のイヤホン１０の周波数特性６１は、低音域から高音域まで位相差の絶対値が小さく、また、低い音声周波数帯域における位相差も、周波数特性６３の位相差とほぼ同じ値で、安定した特性を示している。したがって、本実施例の場合は、逆相の関係になる音波同士による打消し合いがないので、比較例１と比べて、図４及び図５に示すように、低い周波数に音声再生帯域を広げることができる。
【００４８】
図６において、周波数特性６５は、ダクト３６を有し、第１の音響抵抗部材５０がダクト３６に充填されているが、第２の音響抵抗部材５２が配置されていない比較例２の位相差の周波数特性を示すもので、図４の音圧周波数特性６４に対応する位相差周波数特性である。図６に示されるように、比較例２の周波数特性６５は、周波数特性６３に対し、共振周波数近辺の位相差周波数特性が改善されるが、低い音声周波数帯域で周波数特性６３の位相差と約９０度の位相差が生じている。したがって、図４に示すように、比較例２は、低い周波数における音圧レベルが本実施例の場合に及ばない。
【００４９】
図６において、周波数特性６７は、ダクト３６を有し、ダクト３６に第１の音響抵抗部材５０が充填されず貫通孔のままであるが、第２の音響抵抗部材５２は第２の音孔４２を十分に覆っている比較例３の位相差の周波数特性で、図４の音圧周波数特性６６に対応する位相差周波数特性である。図６に示されるように、比較例３の周波数特性６７は、他の周波数特性に比べ、位相差が周波数によって変化している。したがって、図４に示すように、比較例３は、低い周波数における音圧レベルが本実施例の場合に及ばない。
【００５０】
これらのことから、低音特性を改善するには、ダクト３６を有し、第１の音響抵抗部材５０と第２の音響抵抗部材５２を図３に説明した通りに配置する。そして、第１の音響抵抗部材５０の単位空気体積当たりの充填質量を第２の音響抵抗部材５２の単位空気体積当たりの充填質量よりも大きくし、さらに、第１の音響抵抗部材５０と第２の音響抵抗部材５２がケース内部側開口部である第２の音孔４２で互いに隙間なく接触する構造とすることがよい。
【００５１】
上記では、ダクト３６がバッフル３４から突き出るものとして説明したが、これに代えて、ダクト３６をバッフル３４が突き出さず、キャビティ３１の内部に設けるものとしてもよい。その場合には、バッフル３４にダクト３６の根元が来て、ダクトの根元側に第２音孔４２が設けられる。第２音孔に連通するダクト３６のキャビティ３１内に突き出す先端に、ケース内部側開口部が設けられることになる。
【符号の説明】
【００５２】
４  右耳、６  左耳、７  耳珠、８  外耳道、９  対珠、１０  イヤホン、１２  （右）イヤホン本体、１４  （左）イヤホン本体、１６  ケーブル、１８  ジャック部、２０ドライバ、２２  前方へ放射される音波、２４  背面へ放射される音波、３０  ケース、３１  キャビティ、３２  バッフル、３３  隙間空間、３４  ハウジング、３５  開放孔、３６  ダクト、３７  溝部、３８  クッション、４０  第１の音孔、４２  第２の音孔、４４  輪郭部、５０  第１の音響抵抗部材、５２  第２の音響抵抗部材、６０，６１，６２，６３，６４，６５，６６，６７，６８，７０  周波数特性。
【図１】
2015039127.tif 000003
【図２】
2015039127.tif 000004
【図３】
2015039127.tif 000005
【図４】
2015039127.tif 000006
【図５】
2015039127.tif 000007
【図６】
2015039127.tif 000008